(57)【特許請求の範囲】
【請求項１】
スクリーン装置を正面側から見て左右方向に長く、上面側が長手に沿ってスクリーン出入り用の開口部として開放されているケーシングと、
前記ケーシングの内部に配設されていて、前記左右方向に長く、一方向に回転付勢されているリールと、
下端部が前記リールに係止されていて、前記リールに巻かれる可撓性を有するスクリーンと、
前記左右方向に長く、前記スクリーンの上端部を係止させた、前記開口部に対応する上部コネクティングロッドと、
前記上部コネクティングロッドの前記左右方向の中央部に配設されたハンドル部と、
前記スクリーンの後面側において、前記ケーシングと前記上部コネクティングロッドとの間に配設された折畳み式サポートアーム機構と、
を有するスクリーン装置であって、
前記折畳み式サポートアーム機構は、前記ケーシングの左側端部部分に対して下端部が前後方向の軸を中心に回動可能に取り付けられた左側下部サポートアームと、前記ケーシングの右側端部部分に対して下端部が前後方向の軸を中心に回動可能に取り付けられた右側下部サポートアームと、前記左側下部サポートアームの上端部に対して下端部が右ヒンジ接合部を介して回動可能に結合され、上端部が前記上部コネクティングロッドの前記左右方向の中央部に前後方向の軸を中心に回動可能に取り付けられた右側上部サポートアームと、前記右側下部サポートアームの上端部に対して下端部が左ヒンジ接合部を介して回動可能に結合され、上端部が前記上部コネクティングロッドの長手方向の中央部に前後方向の軸を中心に回動可能に取り付けられた左側上部サポートアームと、前記折畳み式サポートアーム機構を立ち上げ方向に付勢する付勢装置であって、前記左側下部サポートアームおよび前記右側上部サポートアームと、前記右側下部サポートアームおよび前記左側上部サポートアームの少なくとも一方の中空部に内蔵させた引っ張りスプリングとテンションケーブルを用いた付勢装置と、を有し、前記付勢装置による前記折畳み式サポートアーム機構の立ち上げ方向への付勢と、前記リールのスクリーン巻き込み力、前記上部コネクティングロッドや前記ハンドル部の自重による前記折畳み式サポートアーム機構の折畳み方向への力がバランスしてスクリーンを任意の立ち上がり高さ位置に支持する自立機能を有していることを特徴とするスクリーン装置。
【請求項２】
前記引っ張りスプリングが前記左側下部サポートアームの中空部に内蔵されて、前記引っ張りスプリングの下端部が前記左側下部サポートアームに接続され、前記引っ張りスプリングの上端部に前記テンションケーブルの一端が接続されており、前記テンションケーブルの他端が前記右ヒンジ接合部を経由して前記右側上部サポートアームに接続されており、前記引っ張りスプリングが前記右側下部サポートアームの中空部に内蔵されて、前記引っ張りスプリングの下端部が前記右側下部サポートアームに接続され、前記引っ張りスプリングの上端部に前記テンションケーブルの一端が接続されており、前記テンションケーブルの他端が前記左ヒンジ接合部を経由して前記左側上部サポートアームに接続されていることを特徴とする請求項１に記載のスクリーン装置。
【請求項３】
前記左側下部サポートアームと前記右側下部サポートアームは、それぞれ、前記スクリーンの幅寸法とほぼ同じ長さ寸法であり、前記左側上部サポートアームと前記右側上部サポートアームは、それぞれ、前記スクリーンの幅寸法の１／２とほぼ同じ長さ寸法であることを特徴とする請求項１又は請求項２に記載のスクリーン装置。
【請求項４】
前記左側下部サポートアームおよび前記右側下部サポートアームと、前記右側上部サポートアームおよび前記左側上部サポートアームは、前記スクリーンの前記左右方向の中央部における垂直線を中にして左右ほぼ対称の配置関係にあり、前記左側上部サポートアームと前記右側上部サポートアームは前記折畳み式サポートアーム機構の立ち上がり状態時には前記垂直線の線上において交差する関係にあり、前記折畳み式サポートアーム機構の立ち上がり状態時も折畳み状態時も、前記右ヒンジ接合部と前記右側上部サポートアームは前記垂直線よりも常に右側に存在し、前記左ヒンジ接合部と前記左側上部サポートアームは前記垂直線よりも常に左側に存在する請求項１乃至請求項３のいずれか一項に記載のスクリーン装置。
【請求項５】
前記左側下部サポートアームと前記右側下部サポートアームとを前記交差する部分において離間しないように、かつ、互いに自由に回転できるように繋ぐスライドコネクタであって、前記折畳み式サポートアーム機構の立ち上がり動作および折畳み動作に伴って前記左側下部サポートアームと前記右側下部サポートアームとにそれぞれ長手に沿ってスライド移動するスライドコネクタを有することを特徴とする請求項４に記載のスクリーン装置。
【請求項６】
前記スライドコネクタは、前記左側下部サポートアームと前記右側下部サポートアームとにそれぞれ長手に沿ってスライド移動可能に嵌着された第１のスライダと第２のスライダとを有し、前記第１のスライダと前記第２のスライダの一方には溝があり、他方にはヘッドがあり、前記ヘッドはシャフト部でスライダに接続しており、前記溝のある側のスライダの溝内に収納されており、前記溝のエッジが突き出て前記ヘッドを抱え込んでいることで前記第１のスライダと前記第２のスライダとが前記シャフト部を中心に相対回転可能に連結されていることを特徴とする請求項５に記載のスクリーン装置。
【請求項７】
前記左ヒンジ接合部および前記右ヒンジ接合部はそれぞれ前記テンションケーブルを懸け回す引っ張りガイド溝を有し、前記引っ張りガイド溝が半円形溝とストレート溝により構成されたＵ型偏心溝であり、前記ストレート溝の溝底面からヒンジ接合部中心までの距離が前記半円形溝の溝底面からヒンジ接合部中心までの距離より短いことを特徴とする請求項２乃至請求項６のいずれか一項に記載のスクリーン装置。
【請求項８】
前記左ヒンジ接合部と前記右ヒンジ接合部はそれぞれ上側ヒンジユニットと下側ヒンジユニットの二つの部分により構成され、前記上側ヒンジユニットと前記下側ヒンジユニットにそれぞれ前記テンションケーブルを懸け回す引っ張りガイド溝を有することを特徴とする請求項２乃至請求項６のいずれか一項に記載のスクリーン装置。
【請求項９】
前記左ヒンジ接合部と前記右ヒンジ接合部の少なくとも一方の前記上側ヒンジユニットと前記下側ヒンジユニットとに前記折畳み式サポートアーム機構の立ち上がり上限高さを規定する制限用凸部と制限用サポートユニットが設けてあることを特徴とする請求項８に記載のスクリーン装置。
【請求項１０】
前記上側ヒンジユニットと前記下側ヒンジユニットの接続面の間に摩擦板があり、前記上側ヒンジユニットと前記下側ヒンジユニットおよび前記摩擦板がネジとナットで接続されていることを特徴とする請求項８又は請求項９に記載のスクリーン装置。
【請求項１１】
前記ハンドル部の側に噛合い部が備えてあり、前記ケーシングの側に前記噛合い部に対応する被噛合い部があり、前記噛合い部と前記被噛合い部との係合により前記ハンドル部の側が前記ケーシングの側に係止されることを特徴とする請求項１乃至請求項１０のいずれか一項に記載のスクリーン装置。
【請求項１２】
前記噛合い部と前記被噛合い部との係合をロック状態にする、および、ロック状態を解除することができるロック機構を有することを特徴とする請求項１１に記載のスクリーン装置。
【請求項１３】
前記ハンドル部がハンドルカバーの上にあり、前記ハンドルカバーが前記上部コネクティングロッドの上に取り付けられており、前記ハンドルカバーに前記ロック機構が配設されていることを特徴とする請求項１２に記載のスクリーン装置。
【請求項１４】
前記ロック機構は、前記ハンドルカバーにスライド移動可能に設けられていて、前記噛合い部を有するロック部材と、前記ロック部材を前記噛合い部が前記被噛合い部に対して係合する方向に移動付勢する付勢部材と、前記ロック部材に設けられていて、前記ハンドルカバーの外側に露出しているロック解除用操作部と、を有することを特徴とする請求項１３に記載のスクリーン装置。
【発明の詳細な説明】
【技術分野】
【０００１】
本発明は、ビデオプロジェクタ、映写機、スライドプロジェクタ等により映像を投影して映画などを見る又は放映する時に使用される可搬式のスクリーン装置に関する。
【背景技術】
【０００２】
可搬式のスクリーン装置としては各種のものが提案され、実用化されている。特許文献１には、スクリーンの上げ下げを長期間に渡って変形や損傷等のトラブル発生のない状態で行うことができると共に、そのための構成を簡素にすることができる自立式手動昇降スクリーン装置が記載されている。
【０００３】
この装置は、スクリーンの一端が連結された上端支持部材とスクリーンの他端が連結されたベース部材とを、左右のリンク機構にて枢支連結し、下部側アームを上方へ移動付勢するための付勢手段を設けている。そして、左右の上部側アームおよび左右の下部側アームのうちの少なくとも一方にスライド自在なスライド部材を外嵌し、それら左右のスライド部材をスクリーンのスクリーン左右幅方向ほぼ中央に位置する上下の垂線上で相対回転自在に連結した構造のものである。
【先行技術文献】
【特許文献】
【０００４】
【特許文献１】特開２００４−０４６０７８号公報
【発明の概要】
【発明が解決しようとする課題】
【０００５】
本発明は上述した従来の構成を更に発展させたものである。本発明の目的は、スクリーンが広げられた時の必要な高さを満足させ、スクリーンが収められる時に、受ける力が小さくて、取り扱いの誤りによるスクリーンの損害がない、かつ、使用効果がよくて軽便な可搬式のスクリーン装置を提供することを目的とする。
【課題を解決するための手段】
【０００６】
上記の目的を達成するための本発明に係るスクリーン装置の代表的な構成は、スクリーン装置を正面側から見て左右方向に長く、上面側が長手に沿ってスクリーン出入り用の開口部として開放されているケーシングと、前記ケーシングの内部に配設されていて、前記左右方向に長く、一方向に回転付勢されているリールと、下端部が前記リールに係止されていて、前記リールに巻かれる可撓性を有するスクリーンと、前記左右方向に長く、前記スクリーンの上端部を係止させた、前記開口部に対応する上部コネクティングロッドと、前記上部コネクティングロッドの前記左右方向の中央部に配設されたハンドル部と、前記スクリーンの後面側において、前記ケーシングと前記上部コネクティングロッドとの間に配設された折畳み式サポートアーム機構と、を有するスクリーン装置であって、前記折畳み式サポートアーム機構は、前記ケーシングの左側端部部分に対して下端部が前後方向の軸を中心に回動可能に取り付けられた左側下部サポートアームと、前記ケーシングの右側端部部分に対して下端部が前後方向の軸を中心に回動可能に取り付けられた右側下部サポートアームと、前記左側下部サポートアームの上端部に対して下端部が右ヒンジ接合部を介して回動可能に結合され、上端部が前記上部コネクティングロッドの前記左右方向の中央部に前後方向の軸を中心に回動可能に取り付けられた右側上部サポートアームと、前記右側下部サポートアームの上端部に対して下端部が左ヒンジ接合部を介して回動可能に結合され、上端部が前記上部コネクティングロッドの長手方向の中央部に前後方向の軸を中心に回動可能に取り付けられた左側上部サポートアームと、前記折畳み式サポートアーム機構を立ち上げ方向に付勢する付勢装置であって、前記左側下部サポートアームおよび前記右側上部サポートアームと、前記右側下部サポートアームおよび前記左側上部サポートアームの少なくとも一方の中空部に内蔵させた引っ張りスプリングとテンションケーブルを用いた付勢装置と、を有し、前記付勢装置による前記折畳み式サポートアーム機構の立ち上げ方向への付勢と、前記リールのスクリーン巻き込み力、前記上部コネクティングロッドや前記ハンドル部の自重による前記折畳み式サポートアーム機構の折畳み方向への力がバランスしてスクリーンを任意の立ち上がり高さ位置に支持する自立機能を有していることを特徴とする。
【発明の効果】
【０００７】
本発明のスクリーン装置は、構造が簡単で、スクリーンが広げられた時の高さを満足することができ、使用しやすい、体積が小さくて、携帯に便利である。また、スクリーンが収められた時、サポートアームの受ける力が小さいので、長時間にも変形や損害などの故障が発生しなく、スクリーンがスムーズに上下で動作できる。
【図面の簡単な説明】
【０００８】
【図１】スクリーンが使用可能な展張状態に保持されている状態のスクリーン装置の正面図
【図２】図１の状態のスクリーン装置の後面（背面）図
【図３】図１の状態のスクリーン装置の途中部分省略の拡大右側面図
【図４】（ａ）は図１・図２のスクリーン展張状態時のスクリーン装置の平面図、（ｂ）はスクリーン納状態時のスクリーン装置の一部切欠き平面図
【図５】スクリーン収納状態時のスクリーン装置の要部の横断右側面図
【図６】（ａ）はケーシングに対するロック状態時のハンドルユニット部分の斜視図、（ｂ）は（ａ）においてロック解除用ボタンをロック解除方向に移動操作した状態時のハンドルユニット部分の斜視図
【図７】（ａ）と（ｂ）はハンドルユニットの分解斜視図であり、（ａ）は装置の前面側から見た斜視図、（ｂ）は装置の後面側から見た斜視図
【図８】スクリーンが引き上げ途中状態又は引き下げ途中状態であるスクリーン装置の後面図
【図９】（ａ）は十分に立ち上げ動作した状態のサポートアーム機構の部分図、（ｂ）は十分に折畳まれる前状態のサポートアーム機構の部分図、（ｃ）は十分に折畳まれた状態時のサポートアーム機構の部分図
【図１０ａ】スクリーンが最大限に引き出されて展張された状態のスクリーン装置の後面図
【図１０ｂ】左ベースユニット部分の一部切欠き後面図
【図１０ｃ】引っ張りコイルスプリングの上端部とテンションケーブルとの接続部の図
【図１１】サポートアーム機構が折畳まれた状態のスクリーン装置の一部切欠き後面図
【図１２】スライドコネクタ（スリップ接続）の説明図
【図１３】サポートアーム機構が立ち上がっている状態時のヒンジ接合部の切り欠き後面図
【図１４】サポートアーム機構が折畳まれた状態時のヒンジ接合部の切り欠き後面図
【図１５】（ａ）はヒンジ接合部の横断面図、（ｂ）はヒンジ接合部の分解斜視図
【図１６】スライドコネクタの他の構成例（実施例２）の説明図
【図１７】スライドコネクタの更に他の構成例（実施例３）の説明図
【発明を実施するための形態】
【０００９】
［実施例１］
以下、図面に示した実施例の可搬式のスクリーン装置１について説明する。ここで、以下の説明において、装置１について、正面又は前面とは装置１をスクリーン２の映像投影面側（プロジェクタ側）から見た面である。後面（背面）とはそれとは反対側の面である。前又は後とは装置１を正面側から見て前又は後である。左又は右とは装置１を正面側から見て左又は右である。上又は下とは重力方向に関して上又は下である。
【００１０】
（装置１の全体的概略構成）
装置１は、左右方向に長いケーシング（外殻）３を有する。ケーシング３は、本実施例においてはアルミニウムの引き抜き型材であり、横断面（図５）において、前面、底面、後面の３面を有し、上面側が長手に沿ってスクリーン出入り用の開口部３０４として開放されている。ケーシング３の左右の端部にはそれぞれエンドキャップ３０２・３０２がねじ止めなどの適宜の手段で定着されている。ケーシング３内には左右のキャップ３０２・３０２の内面間に支持されて左右方向に長い筒状リール３０（図５）が配設されている。リール３０には可撓性を有するスクリーン２が巻かれている。スクリーン２の下辺側（下端部）はリール３０に係止されている。リール３０はスプリングなど付勢装置（不図示：応力装置）により常に一方向に回転付勢されている。
【００１１】
スクリーン２の上辺側（上端部）は、本実施例においては、ケーシング３とは別部材であるサポートユニット４に具備させている上部コネクティングロッド４０１に対して固定板２０（図５）により接続して固定されている。ロッド４０１は左右方向に長く、スクリーン２の幅寸法（左右方向の寸法）よりも少し長い寸法を有する。固定板２０はスクリーン２の幅寸法とほぼ同じ長さ寸法を有しており、ロッド４０１内に固定して取り付けられる。この固定板２０により、スクリーン２の上辺側をロッド４０１に接続させている。スクリーン２の上辺側とロッド４０１即ちユニット４はそのほかの方法で接続して固定することもできる。ロッド４０１即ちユニット４の長手方向の中央部（左右方向の中央部）にはハンドルユニット５が配設されている。ユニット５は、後述するように、ハンドルカバー６、ハンドル部７、ロック機構８０などを有する。
【００１２】
ケーシング３の底面側には、ケーシング３の左側と右側との２箇所部に装置据え座としての脚部３０３・３０３が配設されている。脚部３０３・３０３は装置１を使用時に床面や机面などの設置面Ｆ（図３）に対して安定に据え置くためのものである。本実施例において脚部３０３・３０３は平面においてほぼ長方形の部材であり、その長手方向の中央部においてケーシング３の底面に対して回動可能に取り付けられている。
【００１３】
装置使用時は、図３のように、脚部３０３をその長手方向が前後方向になるようにケーシング３の底面に対して十字に回動させた状態にして装置１を設置面Ｆに据え置く。装置格納時は、脚部３０３をその長手方向が左右方向になるようにケーシング３の底面に対して回動さて、脚部３０３をケーシング底面の投影面内に納めた状態にして装置１をコンパクト化にすることができる。
【００１４】
脚部３０３・３０３は、ケーシング３の底面に対して左右方向にスライド移動可能にして、ケーシング３の底面に対する位置や相互の間隔を任意に調節可能に配設した構成のものにすることもできる。また、ケーシング３に対して着脱可能な構成のものにすることもできる。また、装置使用時にケーシング底面自体で装置１を設置面Ｆに対して安定に支持できれば脚部３０３・３０３を省略することもできる。
【００１５】
ケーシング３の前面の長手方向（左右方向）のほぼ中央部には前ベース部材１２が設けられている。また、ケーシング３の後面の長手方向のほぼ中央部には後ベース部材１３が設けられている。この前後のベース部材１２・１３に対してサポートユニット４に配設されているハンドルユニット５が対応する。前ベース部材１２と後ベース部材１３は本実施例においてはプラスチック成型品であり、ケーシング３に対してビス止めや接着剤等の適宜の定着手段で固着されている。
【００１６】
また、ケーシング後面の左端部側と右端部側にはそれぞれベースユニット２３Ｌ・２３Ｒが設けられている。ユニット２３Ｌ・２３Ｒは本実施例においてはプラスチック成型品であり、ケーシング３に対してビス止めや接着剤等の適宜の定着手段で固着されている。そして、スクリーン２の後面側において、左右のベースユニット２３Ｌ・２３Ｒとサポートユニット４の左右方向のほぼ中央部との間にＬ型折畳み式サポートアーム機構１４が配設されている。機構１４は、スクリーン２を展張状態に保持させるための、立ち上がり動作・折畳み動作可能で自立機能を有する。この機構１４については後に詳述する。
【００１７】
図５はスクリーン収納状態時の装置１の要部の横断右側面図である。この状態時においては、スクリーン２がリール３０の回転付勢力で十分に巻き込まれてケーシング３内に収納されている。ユニット４のロッド４０１がケーシング３の上面の開口部３０４に対応して開口部３０４を塞ぐように位置していて、開口部３０４の蓋部材として機能している。また、機構１４はケーシング３の後面の投影面内に折畳まれている状態になっている。また、ハンドルユニット５が、その内部に設けられた後述するロック機構８０のロック動作によりケーシング３側の前ベース部材１２と後ベース部材１３とに係止されてケーシング３に対してロック（掛け止め）された状態になっている。即ち、ハンドル部７がケーシング３に対してロックされた状態になっている。このロック状態において、ハンドル部７を握って装置１を設置面Ｆから引き上げてカバンを持ち運ぶように運搬することができる。図４の（ａ）は図１・図２のスクリーン展張状態時の装置１の平面図、（ｂ）はスクリーン納状態時の装置１の一部切欠き平面図である。
【００１８】
図５のスクリーン収納状態の装置１を使用する場合には、脚部３０３・３０３を前後方向の姿勢に回動する。その装置１を使用場所の設置面Ｆに置き、ロック機構８０の後述するロック解除用ボタン（ロック解除用操作部）８０１をロック解除方向に移動操作する。そうすると、ケーシング３側の前ベース部材１２と後ベース部材１３に対するハンドルユニット５のロックが解除される。そこで、ハンドル部７を握ってサポートユニット４をリール３０のスクリーン巻き込み力に抗して上方に引き上げる。このユニット４の引き上げに伴って、スクリーン２がリール３０を巻き込み方向とは逆方向に回転させながら開口部３０４からケーシング３の上方に引き出される。また、スクリーン２の後面側のサポートアーム機構１４が折畳まれている状態から立ち上がり動作（伸び動作）する。機構１４は後述するように自立機能を有している。即ち、スクリーン２の引き上げ・引き下げ範囲内の任意の立ち上がり高さ位置においてハンドル部７から手を離しても、ユニット４とスクリーン２の自重及びリール３０のスクリーン巻き込み力と、機構１４の後述する立ち上がり力と、の両者がバランスしている。これにより、スクリーン２を任意の立ち上がり高さ位置に安定に支持した状態に保持する。図１はスクリーン２が機構１４の自立機能により使用可能な展張状態に保持されている状態の装置１の正面図である。図２は図１の状態の装置１の後面（背面）図である。図３は図１の状態の装置１の途中部分省略の拡大右側面図である。図８はスクリーンが引き上げ途中状態又は引き下げ途中状態であるスクリーン装置の後面図である。図１０ａはスクリーン２が最大限に引き出されて展張された状態の装置１の後面図である。
【００１９】
また、逆に、図１乃至図３や図１０ａのようにスクリーン展張状態の装置１を図５のスクリーン収納状態に戻す場合は、ユニット４のハンドル部７を握ってユニット４を下げ移動する。これにより、スクリーン２はリール３０の巻き込み力によりリール３０に巻き込まれて開口部３０４からケーシング３内に戻り移動して収納されていく。また、機構１４が折畳まれる方向に動作する。そして、ユニット４をケーシング３に対して十分に下げ移動すると、ユニット４のロッド４０１がケーシング３の上面の開口部３０４に対応位置していて開口部３０４を閉鎖する。また、機構１４がケーシング後面の投影面内に十分に折畳まれた状態になる。また、ハンドルユニット５がケーシング３側の前ベース部材１２と後ベース部材１３とに所定に対応位置した状態になる。そして、ユニット５を前ベース部材１２と後ベース部材１３に押し付けると、ロック機構８０がロック動作して、ユニット５が前ベース部材１２と後ベース部材１３とに係合してロックされた状態になる。
【００２０】
（ハンドルユニット５）
図６の（ａ）はケーシング３に対してロック状態時のハンドルユニット５の斜視図、（ｂ）は（ａ）においてロック解除用ボタン８０１をロック解除方向Ｂに移動操作してケーシング３に対してロックを解除した状態時のハンドルユニット５の斜視図である。図７の（ａ）と（ｂ）はハンドルユニット５の分解斜視図であり、（ａ）は装置の前面側から見た斜視図、（ｂ）は装置の後面側から見た斜視図である。
【００２１】
ハンドルユニット５は、ハンドルカバー６、ハンドル部７、ロック機構８０などにより構成される。ロック機構８０は、ロック部材８をカバー６に対して左右方向にスライド可能に支持させて取り付けるための前後側一対のホルダー９、ホルダー９をカバー６に取り付けためのビス１０、リセットスプリング１１などにより構成される。
【００２２】
ハンドル部７はカバー６の外側において、カバー６に対して起伏回動可能に取り付けられている。不使用時はカバー６に対して自重により倒れ込んでいる。装置１を運搬したり、スクリーン２を上げ下げしたりする時は、カバー６からハンドル部７を起こして握る。
【００２３】
ロック部材８はカバー６の内側において左右方向にスライド移動可能にホルダー９・９を介して配設されている。ホルダー９はビス１０によりカバー６の内側に固定されている。ロック部材８の上面に設けられているロック解除用ボタン８０１がカバー６の中央部の四角形の貫通穴６０１に内側から嵌り込んでカバー６の外側に露出している。ロック部材８の前側と後側にはそれぞれ噛合い部（フック形状部）８０２が設けられている。前側の噛み合い部８０２はケーシング３の前ベース１２側に設けられた被噛合い部１２０１に対応して係脱する。後側の噛み合い部８０２はケーシング３の後ベース１３側に設けられた被噛合い部１３０１に対応して係脱する。
【００２４】
ロック部材８は、リセットスプリング１１によりハンドルカバー６内を常時左方に移動付勢されている。このロック部材８の左方への移動付勢方向は噛み合い部８０２を被噛合い部１２０１・１３０１に対して係合させる方向である。プリング１１がロック部材８を噛合い部８０２が被噛合い部１２０１・１３０１に対して係合する方向に移動付勢する付勢部材である。
【００２５】
ボタン８０１は、自由状態においては、図６の（ａ）の矢印Ａようにカバー６の穴６０１内を左側に寄り移動して位置している。この位置がロック部材８のロック動作位置であり、ロック部材８の前側と後側の噛合い部８０２が、それぞれ、ケーシング３の前ベース１２側の被噛合い部１２０１と後ベース１３の被噛合い部１３０１とに係合する位置である。
【００２６】
ユニット５のロック状態において、ハンドル部７を利用して装置１を引き上げて運搬することができる。そして、図６の（ａ）のロック状態において、ユニット５のボタン８０１を図６の（ｂ）のようにロック解除方向（右方）Ｂに移動操作する。そうすると、ロック部材８の前側と後側の噛合い部８０２が、それぞれ、ケーシング３の前ベース１２側と後ベース１３の被噛合い部１２０１・１３０１から外れてユニット５のケーシング３に対するロックが解除される。これにより、ハンドル部７を握ってロッド４０１即ちサポートユニット４をケーシング３から引き上げでスクリーン２を引き出す（広げる）ことができる。
【００２７】
ロック機構８０を含むハンドルユニット５の組立と構造について図７を参照して今少し詳しく説明する。スプリング１１の左端部をロック部材８の右側の半円形溝内に位置させ、ロック部材８のボタン８０１をカバー６の中央部にある四角形の貫通穴６０１に挿し込む。かつ、スプリング１１の右端部をカバー６内の右側のスプリングストッパー６０２に押し込む。前後側一対のホルダー９・９の一方のホルダー９の中央部にある一つのスライドガイドピン９０１をロック部材８の片側にあるスライド溝８０３内に挿し込む。そして、ホルダー９の左右両側にある一対の貫通穴９０２を貫通するビス１０をカバー６の内側にある左右対応の一対のねじ穴６０３に捻り込む。そして、もうひとつのホルダー９の中央部にあるスライドガイドピン９０１をロック部材８のもう一方の側にあるスライド溝８０３内に挿し込む。そして、当該ホルダー９の左右両端側にある一対の貫通穴９０２を貫通するビス１０をカバー６の内側にあるそれ対応の一対のねじ穴６０３に捻り込む。
【００２８】
これにより、ロック部材８がカバー６の内側においてホルダー９・９を介して左右方向にスライド可能に配設される。そして、ロック部材８はスプリング１１によりカバー６内をロック方向である左方向Ａ（図６の（ａ））に常時移動付勢される。そして、ロック部材８はボタン８０１によりスプリング１１の突っ張り力に抗してロック解除方向である右方向Ｂ（図６の（ｂ））に移動操作することができる。カバー６の左右両側にはアーチ状の切欠き部６０４がある。その切欠き部６０４にハンドル部７の左右両端部に内向きに設けられたシャフト部を嵌入させてハンドル部７をカバー６に対して回動可能に軸受けさせる。そして、カバー６がビス（不図示）にてロッド４０１即ちサポートユニット４の長手方向の中央部に対して固定されている。
【００２９】
前述したように、スクリーン２を展張状態（図１乃至図３、図１０ａ）から収納状態（図５）にするときには、ハンドルユニット５を押し下げる。これにより、リール３０がスクリーン２を巻いてケーシング３内に収め、ユニット４が下に向いてケーシング３の前ベース１２と後ベース１３に対向して位置する。そして、ユニット５側のロック部材８の前側部の噛合い部８０２が前ベース１２の被噛合い部１２０１に挿し込まれ、ロック部材８の後側部の噛合い部８０２が後ベース１３の被噛合い部１３０１に挿し込まれる。そして、引き続き、ユニット５を押し下げれば、噛合い部８０２が被噛合い部１２０１・１３０１と押し合い、ロック部材８がスプリング１１を圧縮しながらカバー６内を左側から右側に移動して噛合い部８０２が被噛合い部１２０１・１３０１に嵌入する。
【００３０】
そして、十分に嵌入すると、噛合い部８０２の被噛合い部１２０１・１３０１に対する押し合いが無くなって、ロック部材８がスプリング１１の圧縮反力で右側から左側に戻り移動する。これにより、噛合い部８０２が被噛合い部１２０１・１３０１に対して係合して、カバー６がケーシング３に対してロックされた状態になる。
【００３１】
逆に、スクリーン２を収納状態（図５）から展張状態（図１乃至図３、図１０ａ）にするときには、図６の（ａ）のロック状態にある装置１におけるユニット５のボタン８０１を図６の（ｂ）のようにロック解除方向Ｂ（右方）に移動操作する。そうすると、スプリング１１が圧縮されてロック部材８がカバー６内を左側から右側に移動して噛合い部８０２が被噛合い部１２０１・１３０１から十分に離れ移動する。そして、力を入れてハンドル部７を引き上げると、ロック部材８が前ベース１２と後ベース１３から離れて、ユニット５のケーシング３に対するロックが解除される。このロック解除状態においてロック部材８はスプリング１１の圧縮反力で右側から左側に戻り移動（リセット移動）する。
【００３２】
（Ｌ型折畳み式サポートアーム機構１４）
機構１４は、スクリーン２の後面側において、左右のベースユニット２３Ｌ・２３Ｒとサポートユニット４の長手方向のほぼ中央部との間に配設されている。機構１４は、スクリーン２を展張状態に保持させるための、立ち上がり動作・折畳み動作可能で自立機能を有しているスクリーン支持機構である。
【００３３】
本実施例の機構１４は、下端部が左ベースユニット２３Ｌに対して前後方向の軸２３ａを中心に回動可能にヒンジ結合された左側下部サポートアーム２２Ｌを有する。また、下端部が右ベースユニット２３Ｒに対して前後方向の軸２３ａを中心に回動可能に回動可能にヒンジ接合された右側下部サポートアーム２２Ｒを有する。また、上端部がカバー６に対して前後方向の軸６ａを中心に回動可能にヒンジ結合され、下端部が前記左側下部サポートアーム２２Ｌの上端部と右ヒンジ接合部１５Ｒにより回動可能に結合された右側上部サポートアーム２１Ｒを有する。
【００３４】
また、上端部がカバー６に対して前後方向の軸６ａを中心に回動可能にヒンジ結合され、下端部が前記右側下部サポートアーム２２Ｒの上端部と左ヒンジ接合部１５Ｌにより回動可能に結合された左側上部サポートアーム２１Ｌを有する。
【００３５】
Ｃをスクリーン２の幅方向（左右方向）の中央部における垂直線（仮想線）とした時、カバー６の左右方向の中央部と、前ベース１２および後ベース１３の左右方向の中央部は垂直線Ｃ上にほぼ位置している。また、左右のベースユニット２３Ｌ・２３Ｒは垂直線Ｃを中にしてほぼ左右対称の位置にある。
【００３６】
左側下部サポートアーム２２Ｌ、右側下部サポートアーム２２Ｒ、左側上部サポートアーム２１Ｌ、右側上部サポートアーム２１Ｒは、それぞれ、剛性を有する棒状部材であり、例えば、横断面円筒形や方筒形の金属パイプ材を用いることができる。本実施例においては、左側下部サポートアーム２２Ｌと右側下部サポートアーム２２Ｒは、それぞれ、スクリーン２の幅寸法とほぼ同じ長さ寸法とされている。また、左側上部サポートアーム２１Ｌと右側上部サポートアーム２１Ｒは、それぞれ、スクリーン２の幅寸法の１／２とほぼ同じ長さ寸法とされている。左側上部サポートアーム２１Ｌと右側上部サポートアーム２１Ｒの上端部はハンドルカバー６の左右方向のほぼ中央部（垂直線Ｃ上）においてハンドルカバー６に対して回動可能にヒンジ接合されている。或はアーム２１Ｌの上端部はカバー６の左右方向の中央部よりも少し左側において、アーム２１Ｒの上端部はカバー６の左右方向の中央部よりも少し右側において、垂直線Ｃを中にしてほぼ左右対称な位置にカバー６に対して回動可能にヒンジ接合されている。
【００３７】
従って、左側下部サポートアーム２２Ｌおよび右側上部サポートアーム２１Ｌと、右側下部サポートアーム２２Ｒおよび左側上部サポートアーム２１Ｌは、垂直線Ｃを中にして左右ほぼ対称の配置関係にある。左側下部サポートアーム２２Ｌと右側下部サポートアーム２２Ｒは機構１４の立ち上がり状態時（伸び状態時）にはほぼ垂直線Ｃ上において交差（クロス：図２、図１０ａ）する関係となる。また、機構１４の立ち上がり状態時（図１乃至図３、１０ａ）も折畳み状態時（図５）も、左ヒンジ接合部１５Ｌと左側上部サポートアーム２１Ｌはスクリーン２の垂直線Ｃよりも常に左側に存在する。また、右ヒンジ接合部１５Ｒと右側上部サポートアーム２１Ｒはスクリーン２の垂直線Ｃよりも常に右側に存在する。この構造により、立ち上がり動作・折畳み動作可能なＬ型折畳み式サポートアーム機構１４が構成される。
【００３８】
前述のように、サポートユニット４の長手方向（左右方向）の中央部に近づいているところにおいて、左右側の上部サポートアーム２１Ｌ・２１Ｒの上端部をそれぞれユニット４に対して前後方向の軸６ａを中心に回動可能に接続する。これにより、スクリーン２の上下動作がより安定的でスムーズに行える。アーム２１Ｌの上端部はカバー６の長手方向の中央部よりも少し左側において、アーム２１Ｒの上端部はカバー６の長手方向の中央部よりも少し右側において、垂直線Ｃを中にしてほぼ左右対称な位置でカバー６に軸６ａを中心に回動可能に接続することもできる。
【００３９】
また、ケーシング３の後面側においてケーシング３の左右両端部に近づいているところにおいて、左右側の下部サポートアーム２２Ｌ・２２Ｒの下端部を軸２３ａを中心に回動可能に接続する。これにより、スクリーン２の上下動作がより安定的でスムーズに行える。必要に応じて、ケーシング３の後面側の長手方向でやや中央部寄りのところにおいて、左右の下部サポートアーム２２Ｌ・２２Ｒの下端部を、前後方向の軸２３ａを中心に回動可能に接続することもできる。
【００４０】
より詳しく説明すると、以下の通りである。左右側の上部サポートアーム２１Ｌ・２１Ｒの上端部が、左右方向において、前後位置の重ならない状態で、ユニット４の長手方向の中央部において、上部サポートアーム２１Ｌ・２１Ｒの上端部を回動可能に接続できようにする。上記のユニット４の長手方向の中央部は、両端から離れてやや中央部寄りのところでもよい。かつ、左右側の下部サポートアーム２２Ｌ・２２Ｒが、左右方向において、前後位置の重ならない状態で、ケーシング３の後面の左右両端部において下部サポートアーム２２Ｌ・２２Ｒの下端部を回動可能に接続できるようにする。ケーシング３の後面の左右両端部は、両端から離れてやや中央部寄りのところでもよい。上記の構成とするために、以下の措置を採取する。
【００４１】
即ち、外部から嵌め込める補強用のヒンジ接合部１５Ｌ・１５Ｒを採用する。これにより、同一側において、左側上部サポートアーム２１Ｌの下端部と右側下部サポートアーム２２Ｒの上端部をヒンジ接合部１５Ｌにて互いに接続させる。また、同一側において、右側上部サポートアーム２１Ｒの下端部と左側下部サポートアーム２２Ｒの上端部をヒンジ接合部１５Ｒにて互いに接続させる。即ち、左右両側にある上部サポートアーム２１Ｌ・２１Ｒと左右両側にある下部サポートアーム２２Ｌ・２２Ｒを２つヒンジ接合部１５Ｌ・１５Ｌで接続させる。これにより、立ち上がり動作・折畳み動作可能なＬ型折畳み式サポートアーム機構１４が構成される。
【００４２】
機構１４の折畳み状態時（図５）も立ち上がり状態時（図１乃至図３、図１０ａ）も、右側ヒンジ接合部１５Ｒの回動中心であるネジ１８とナット１９（図１５）がずっと右側（スクリーン２の垂直線Ｃよりも右側）に位置する。また、左側ヒンジ接合部１５Ｌの回動中心であるネジ１８とナット１９がずっと左側（スクリーン２の垂直線Ｃよりも左側）に位置する。機構１４の立ち上がり状態で、左右側の下部サポートアーム２２Ｌ・２２Ｒが互いにクロス（図２）していて、かつ、左右側２つのヒンジ接合部１５Ｌ・１５Ｒが前後方向において重ならないようにする。そのようになるように、機構１４に対して、スクリーン２がケーシング３に収められたクリーン収納状態から最大限でのクリーン展張状態（図１０ａ）まで設定する。外部からアーム２１・２２に嵌り込み、かつ、当該アームより直径が長いヒンジ接合部１５Ｌ・１５Ｒはクロスしないため、前後方向において、サポートアーム機構１４にあるアーム２１・２２の位置が接近できる。かつ、ヒンジ接合部１５Ｌ・１５Ｒの回動範囲を制御することができて、耐久性も向上させることができる。
【００４３】
ヒンジ接合部１５Ｌ・１５Ｒは、図１５のように、前述の上部サポートアーム２１Ｌ・２１Ｒの下端部内に差し込まれる円筒形状の上側ヒンジユニット１６を有する。また、前述の下部サポートアーム２２Ｌ・２２Ｒの上端部内に差し込まれる円筒形状のヒンジユニット１７を有する。また、上述の上側ヒンジユニット１６と下側ヒンジユニット１７を自由に回転できるように繋ぐネジ１８とナット１９を有する。図１５の（ａ）はヒンジ接合部１５（Ｌ・Ｒ）の横断面図、（ｂ）はヒンジ接合部１５（Ｌ・Ｒ）の分解斜視図である。ただし、そのほかの形式で構成されてもいい。
【００４４】
図１１は機構１４が折畳まれた状態のスクリーン装置の一部切欠き後面図である。図１１に示すように、機構１４が折畳まれた状態において、機構１４が立ち上がっている状態（図２）で左側にある上部サポートアーム２１Ｌと右側にある下部サポートアーム２２Ｒを繋ぐヒンジ接合部１５Ｌが左端に位置している。同時に、機構１４が立ち上がっている状態で右側にある上部サポートアーム２１Ｒと左側にある下部サポートアーム２２Ｌを繋ぐヒンジ接合部１５Ｒが右端に位置する。前述のように、アーム２１・２２の長さを設定する。そうすることにより、サポートアーム機構１４が折畳まれるときに、左右方向で伸びるが、スクリーン２の左右両側から出なく、かつ、上下方向におけるスクリーン２の移動ストロークが長くなり、アーム２１・２２の長さも短くなる。ケーシング３が長手方向において長くなるが、ヒンジ接合部１５Ｌ・１５Ｒよりスクリーン２の左右両側に伸びる状態で実施することもできる。
【００４５】
機構１４が折畳まれた状態（図５、図１１）において、左右側の下部サポートアーム２２Ｌ・２２Ｒ、および左右側の上部サポートアーム２１Ｌ・２１Ｒは、ほぼ水平に畳み込まれて、ケーシング３の後面の投影面内に納まった状態になる。この状態において、左側のヒンジ接合部１５Ｌが左側のベースユニット２３Ｌ内に位置して納まった状態に、また、右側のヒンジ接合部１５Ｒが右側のベースユニット２３Ｒ内に位置して納まった状態になる。また、ほぼ水平の倒れ回動した左右側の下部サポートアーム２２Ｌ・２２Ｒの長手方向のほぼ中央部の下向き面が、それぞれ、後ベース１３に具備させたホルダー１３０２により受け止められて支持される。機構１４の重量支え：図５、図７の（ｂ）、図９の（ｃ）、図１１。なお、このホルダー１３０２は省略することができる。
【００４６】
左側下部サポートアーム２２Ｌと右側下部サポートアーム２２Ｒには、この両アーム２２Ｌ・２２Ｒを引き寄せた状態に保持させるために、スライドコネクタ２７で連結（スリップ接続）させている。これを図１２で説明する。
【００４７】
左側下部サポートアーム２２Ｌと右側下部サポートアーム２２Ｒには、それぞれ、アームに外嵌させて環状の第１スライダ２８と第２スライダ２９が設けられている。第１スライダ２８はアーム２２Ｌに沿ってスライド自由である。第２スライダ２９はアーム２２Ｒに沿ってスライド自由である。第１スライダ２８のヘッド２８０１が第２スライダ２９の溝２９０１内に嵌り込み、第２スライダ２９の溝エッジ２９０２が第１スライダ２８のヘッド２８０１を挟んでいることで、第１スライダ２８と第２スライダ２９とが互いに連結されている。ヘッド２８０１は溝２９０１内において回転できる。このように、第１スライダ２８と第２スライダ２９はヘッド２８０１の首部（シャフト部）２８０２を中心に互いに回動可能に連結されている。即ち、左右両側の下部サポートアーム２２Ｌ・２２Ｒがスライドコネクタ２７を介して繋がり、離れられない。このように、スライドコネクタ２７を利用して、左右両側の下部サポートアーム２２Ｌ・２２Ｒを互いに自由に回転できるように繋ぐ。このスライドコネクタ２７により、スクリーン２を展張状態から収納状態に変換するとき、左右両側の下部サポートアーム２２Ｌ・２２Ｒ（機構１４）が任意な立ち上がり高さ位置において垂直線Ｃを対称軸線にして左右ほぼ対称の状態に保持される。また、逆にスクリーン２を収納状態から展張状態に変換するときも、左右両側の下部サポートアーム２２Ｌ・２２Ｒ（機構１４）が任意な立ち上がり高さ位置において垂直線Ｃを対称軸線にして左右ほぼ対称の状態に保持される。これにより、、常に機構１４の立ち上がり動作・折畳み動作が安定的に実行される。第１スライダ２８に溝２９０１を具備させ、第２スライダ２９にヘッド２８０１を具備させてもよい。
【００４８】
図１３は機構１４が立ち上がっている状態時の右ヒンジ接合部の切り欠き後面図、図１４は機構１４が折畳まれている状態時の右ヒンジ接合部の切り欠き後面図である。左ヒンジ接合部も同様の構成である。図１３、図１４に示すように、ヒンジ接合部１５（Ｌ・Ｒ）の上側ヒンジユニット１６には、開き位置制限用凸部１６０２が設けられており、下側ヒンジユニット１７には開き位置制限用サポートユニット１７０２が設けられている。上側ヒンジユニット１６と下側ヒンジユニット１７がヒンジ接合部中心（ヒンジ接合部回動中心）であるネジ１８の周りを開き方向に回動して、開き位置制限用凸部１６０２が開き位置制限用サポートユニット１７０２にぶつかる。そうすると、ヒンジ接合部１５が回転を停止する。即ち、ヒンジ接合部１５のそれ以上の開き方向への回転が阻止される。この時、機構１４の左右両側の下部サポートアーム２２Ｌ・２２Ｒと左右両側の上部サポートアーム２１Ｌ・２１Ｒとの間の内角が最大値になる。そして、機構１４のそれ以上の立ち上がり動作が阻止されて、スクリーン２が最大限に引き出されて展張された状態となる（図１０ａ）。
【００４９】
なお、前述の制限点１６０２・１７０２は、図１３、図１４中に示す位置に限らない。実際の必要に応じて、開き位置制限用凸部１６０２と開き位置制限用サポートユニット１７０２の位置を設定する。これにより、機構１４の左右両側の下部サポートアーム２２Ｌ・２２Ｒと左右両側の上部サポートアーム２１Ｌ・２１Ｒとの間の内角が１８０度以下になる時の異なる制限点１６０２・１７０２を任意に設定することができる。
【００５０】
左右両側のヒンジ接合部１５Ｌ・１５Ｒに制限点１６０２・１７０２が設けてあるので、スクリーン２の最大の引出し使用状態（図１０ａ）を安定的に制限することができる。ただし、制限点１６０２・１７０２は左右のヒンジ接合部１５Ｌ・１５Ｒのうちの一つのヒンジ接合部において設置することもできる。また、開き位置制限用凸部１６０２を下側ヒンジユニット１７側に、位置制限用サポートユニット１７０２を側ヒンジユニット１６側に配設してもよい。
【００５１】
そして、スクリーン２が展張状態（図１乃至図３、図１０ａ）から収納状態（図５、図１１）に転換される場合、ハンドルユニット５を押し下げることにより、機構１４が折畳み動作して、スクリーン２がケーシング３内のリール３０に巻き込まれる。図９の（ａ）は十分に立ち上げ動作した状態の機構１４の部分図、（ｂ）は十分に畳み込まれる前状態の機構１４の部分図、（ｃ）は十分に畳み込まれた状態時の１４機構の部分図である。
【００５２】
次に機構１４の自立機能機構について、図１０ａ乃至図１０ｃ、図１１、図１３、図１４、図１５により説明する。図１０ｂは左ベースユニット部分の一部切欠き後面図、図１０ｃは引っ張りコイルスプリングの上端部とテンションケーブルとの接続部の図である。本実施例においては、左右両側の下部サポートアーム２２Ｌ・２２Ｒの中空部に、それぞれ、機構１４の自立機能機構としての立ち上げ付勢するための付勢装置（応力装置）が内蔵されている。左側下部サポートアーム２２Ｌと右側下部サポートアーム２２Ｒの中空部に内蔵の付勢装置は左右対称で同じ機構であるから、主として左側下部サポートアーム２２Ｌの付勢装置を代表して説明する。
【００５３】
アーム２２Ｌの下端部内部にはアーム２２Ｌの回動中心である軸２３ａを中心に回動可能なスプリング固定部品２５が配設されている。アーム２２Ｌの内部には引っ張りコイルスプリング２４が挿入されており、このスプリング２４の下端部は上記の固定部品２５に接続されている。即ち、スプリング２４の下端部はアーム２２Ｌに接続されている。スプリング２４の上端部にはケーブルグリップ（ケーブルグリップ）２６０１を介して可撓性のあるテンションケーブル（テンションワイヤ）２６の一端が接続されている。ケーブル２６の他端側は延長されてヒンジ接合部１５Ｒの下側ヒンジユニット１７のケーブルガイド溝１７０１と上側ヒンジユニット１６のＵ型ケーブルガイド溝１６０１を経由して上側ヒンジユニット１６の端部に至る。そして、ストッパ２６０２により上側ヒンジユニット１６に係止されている。即ち、アーム２１Ｒに接続されている。スプリング２４はケーブル２６を所定の引っ張り力をもって常時緊張させている。右側下部サポートアーム２２Ｒ側の付勢装置も上記の左側下部サポートアーム２２Ｌの付勢装置と同様の構造である。
【００５４】
この構造により、左側下部サポートアーム２２Ｌに対して右側上部サポートアーム２１Ｒがスプリング２４の引っ張り力によるケーブル２６の緊張により右側ヒンジ接合部１５Ｒを中心に開き方向に常時回動付勢されている。上記の開き方向はアーム２１Ｒと２２Ｌの内角を大きくする方向である。上記の開き方向はアーム２１Ｒと２２Ｌの内角を大きくする方向である。また、右側下部サポートアーム２２Ｒに対して左側上部サポートアーム２１Ｌがスプリング２４の引っ張り力によるケーブル２６の緊張により左側ヒンジ接合部１５Ｌを中心に開き方向に常時回動付勢されている。開き方向はアーム２１Ｌと２２Ｒの内角を大きくする方向である。即ち、機構１４がスプリング２４の引っ張り力によるケーブル２６の緊張により常時立ち上げ方向に付勢されている。
【００５５】
機構１４は、スクリーン２の引き上げ・引き下げ範囲内の任意の立ち上がり高さ位置においてハンドル部７から手を離しても、その高さ位置に安定に支持した状態に保持される（自立機能）。即ち、ユニット４とスクリーン２の自重およびリール３０のスクリーン巻き込み力と、機構１４の上記の付勢装置２４・２６による立ち上がり力と、の両者がバランスする。そのため、スクリーン２は任意の立ち上がり高さ位置に安定に支持した状態に保持される。
【００５６】
図１３、図１４に示すように、ヒンジ接合部１５Ｒ（１５Ｌ）上にはケーブル２６が通過する引っ張りガイド溝１６０１がある。その溝１６０１はＵ型偏心溝である。引っ張りガイド溝１６０１はＵ型底部で半円形溝ａを形成し、Ｕ型の両側でストレート溝ｂ・ｂを形成する。半円形溝ａ部分の溝底面からヒンジ接合部中心（ネジ）１８までの距離が比較的に長い。ストレート溝ｂ・ｂ部分の溝底面からヒンジ接合部中心１８までの距離が短い。即ち、ストレート溝ｂ・ｂ部分の溝底面からヒンジ接合部中心１８までの距離が、半円形溝ａ部分の溝底面からヒンジ接合部中心１８までの距離より短い。スクリーン２がゆっくりと下方に移動し、かつ、スクリーン２が任意の高さ位置で保持できるように、スプリング２４の張力を設定する。機構１４の立ち上がり動作・折畳み動作におけるヒンジ接合部１５Ｌ・１５Ｒの開き角度変化に伴い、スプリング２４の伸び長さが異なれば、発生する張力が異なる。しかし、実際には、スプリング２４の作用力、ヒンジ接合部１５Ｌ・１５Ｒにあるヒンジの摩擦力、および下部サポートアームのスクリーンなどの重量とスクリーンの回収作用力などをつり合わせれば、スクリーン２を任意な高さ位置に保持することができる。ヒンジ接合部１５Ｌ・１５Ｒ上にケーブル２６を通す引っ張りガイド溝１６０１の半円形溝ａ部分はそのほか楕円形などの形に設定されてもいい。ケーブルが自由に回転するように、ストレート溝と半円形溝（或いは楕円形溝）を正接に設定する。そのほか、正接に設定しなくてもいい、２つのストレート溝の位置が平行しなくてもいい。
【００５７】
図１５の（ａ）と（ｂ）のように、ヒンジ接合部１５（Ｌ・Ｒ）は、上側ヒンジユニット１６、下側ヒンジユニット１７、および上側ヒンジユニット１６と下側ヒンジユニット１７を自由に回転できるように繋ぐネジ１８とナット１９などにより構成される。ネジ１８がスリーブ３３とガスケット３２を貫通する。ヒンジ接合部１５（Ｌ・Ｒ）の接続面の間に、一対の摩擦板３１、３１を設ける。ネジ１８とナット１８を利用して、ヒンジ接合部１５と摩擦板３１を繋ぐ。ヒンジ接合部１５上には、ケーブル２６を通す引っ張りガイド溝１６０１・１７０１を設ける。上側ヒンジユニット１６には、Ｕ型ケーブルガイド溝１６０１が備えてある。下側ヒンジユニット１７には、ケーブルガイド溝１７０１が備えてある。ケーブル２６は、上部ヒンジユニット１６のＵ型ケーブルガイド溝１６０１と下部ヒンジユニット１７のケーブルガイド溝１７０１を貫通する。
【００５８】
ここで、前述の取付け状態以外に次のような取付け形態にすることもできる。即ち、スプリング２４は、その一端がスプリングの固定部品２５により上部サポートアーム２１（Ｌ・Ｒ）に取付けられ、もう一端がケーブル２６を介してヒンジ接合部１５（Ｌ・Ｒ）を経由して下部サポートアーム２２に接続した形態にすることもできる。又は、その他の取り付け方式を採用することもできる。また、機構１４を立ち上げ方向に付勢する付勢装置２４・２６は、左側下部サポートアーム２２Ｌおよび右側上部サポートアーム２１Ｒと、右側下部サポートアーム２２Ｒおよび左側上部サポートアーム２１Ｌの一方の側だけに配設した構成にすることもできる。
【００５９】
［実施例２］
図１６は実施例１の装置１におけるスライドコネクタ２７の他の構成例である。この実施例２のスライドコネクタ２７Ａは、鉄塊３４と磁石３５より構成される磁気デバイスである。左側の下部サポートアーム２２Ｌと右側の下部サポートアーム２２Ｒの相互の対向面にはそれぞれ、長手に沿って溝が形成されている。左側の下部サポートアーム２２Ｌの溝には鉄片３４が溝に沿ってスライド移動自由に嵌め込まれている。鉄片３４は溝から外れないように配設されている。右側の下部サポートアーム２２Ｒの溝には磁石３５が溝に沿ってスライド移動自由に嵌め込まれている。磁石３５も溝から外れないように配設されている。そして、その鉄片３４と磁石３５が磁力で吸着して互いにずれ回転可能に結合連している。即ち、左右両側の下部サポートアーム２２Ｌ・２２Ｒが鉄片３４と磁石３５によるスライドコネクタ２７Ａを介して繋がり、離れられない。このように、鉄片３４と磁石３５によるスライドコネクタ２７Ａを利用して、左右両側の下部サポートアーム２２Ｌ・２２Ｒを互いに自由に回転できるように繋ぐ。
【００６０】
このスライドコネクタ２７Ａによっても、スクリーン２を展張状態から収納状態に変換するとき、左右両側の下部サポートアーム２２Ｌ・２２Ｒ（機構１４）が任意な立ち上がり高さ位置において垂直線Ｃを対称軸線にして左右ほぼ対称の状態に保持される。また、逆にスクリーン２を収納状態から展張状態に変換するときも、左右両側の下部サポートアーム２２Ｌ・２２Ｒ（機構１４）が任意な立ち上がり高さ位置において垂直線Ｃを対称軸線にして左右ほぼ対称の状態に保持される。これにより、常にサポートアーム機構１４の動作が安定的に実行される。
【００６１】
［実施例３］
図１７は実施例１の装置１におけるスライドコネクタ２７の更に他の構成例である。この実施例３のスライドコネクタ２７Ｂはスライディングシャフト３６を用いたものである。左側の下部サポートアーム２２Ｌと右側の下部サポートアーム２２Ｒの相互の対向面にはそれぞれ、長手に沿って溝は形成されている。スライディングシャフト３６の両端部にはそれぞれヘッド３６０１・３０６１が設けられている。そのシャフト３６の一方のヘッド３６０１を左側の下部サポートアーム２２Ｌの溝に嵌入させ、他方のヘッド３６０１を左側の下部サポートアーム２２Ｌの溝に嵌入させてある。溝のエッジが両端にあるヘッド３６０１を挟んでおり、ヘッド３６０１は溝から外れない。ヘッド３６０１は溝内においてサポートアームの長方向に沿って自由にスライド可能である。即ち、左右両側の下部サポートアーム２２Ｌ・２２Ｒがスライディングシャフト３６によるスライドコネクタ２７Ｂを介して繋がり、離れられない。このように、スライディングシャフト３６によるスライドコネクタ２７Ｂを利用して、左右両側の下部サポートアーム２２Ｌ・２２Ｒを互いに自由に回転できるように繋ぐ。
【００６２】
このスライドコネクタ２７Ｂによっても、スクリーン２を展張状態から収納状態に変換するとき、左右両側の下部サポートアーム２２Ｌ・２２Ｒ（機構１４）が任意な立ち上がり高さ位置において垂直線Ｃを対称軸線にして左右ほぼ対称の状態に保持される。また、逆にスクリーン２を収納状態から展張状態に変換するときも、左右両側の下部サポートアーム２２Ｌ・２２Ｒ（機構１４）が任意な立ち上がり高さ位置において垂直線Ｃを対称軸線にして左右ほぼ対称の状態に保持される。これにより、常にサポートアーム機構１４の動作が安定的に実行される。
【００６３】
上記の実施例１乃至実施例３のスクリーン装置１の構成をまとめると次のとおりである。
【００６４】
（１）スクリーン装置１を正面側から見て左右方向に長く、上面側が長手に沿ってスクリーン出入り用の開口部３０１として開放されているケーシング３を有する。ケーシング３の内部に配設されていて、左右方向に長く、一方向に回転付勢されているリール３０を有する。下端部がリール３０に係止されていて、リール３０に巻かれる可撓性を有するスクリーン２を有する。左右方向に長く、スクリーン２の上端部を係止させた、開口部３０１に対応する上部コネクティングロッド４０１を有する。ロッド４０１の左右方向の中央部に配設されたハンドル部７を有する。スクリーン２の後面側において、ケーシング３とロッド４０１との間に配設された折畳み式サポートアーム機構１４を有する。
【００６５】
機構１４は、ケーシング３の左側端部部分に対して下端部が前後方向の軸２３ａを中心に回動可能に取り付けられた左側下部サポートアーム２２Ｌを有する。また、ケーシング３の右側端部部分に対して下端部が前後方向の軸２３ａを中心に回動可能に取り付けられた右側下部サポートアーム２２Ｒを有する。また、左側下部サポートアーム２２Ｌの上端部に対して下端部が右ヒンジ接合部１５Ｒを介して回動可能に結合され、上端部がロッド４０１の左右方向の中央部に前後方向の軸２３ａを中心に回動可能に取り付けられた右側上部サポートアーム２１Ｒを有する。また、右側下部サポートアーム２２Ｒの上端部に対して下端部が左ヒンジ接合部１５Ｌを介して回動可能に結合され、上端部がロッド４０１の長手方向の中央部に前後方向の軸６ａを中心に回動可能に取り付けられた左側上部サポートアーム２１Ｌを有する。
【００６６】
上記の機構１４を立ち上げ方向に付勢する付勢装置を有する。付勢装置は、左側下部サポートアーム２２Ｌおよび右側上部サポートアーム２１Ｒと、右側下部サポートアーム２２Ｒおよび左側上部サポートアーム２１Ｌの少なくとも一方の中空部に内蔵させた引っ張りスプリング２４とテンションケーブル２６を用いている。
【００６７】
そして、付勢装置による機構１４の立ち上げ方向への付勢と、リール３０のスクリーン巻き込み力、ロッド４０１やハンドル部７の自重による機構１４の畳み込み方向への力がバランスしてスクリーン２を任意の立ち上がり高さ位置に支持する自立機能を有する。
【００６８】
（２）引っ張りスプリング２４が左側下部サポートアーム２２Ｌの中空部に内蔵されている。スプリング２４の下端部が左側下部サポートアーム２２Ｌに接続され、スプリング２４の上端部にテンションケーブル２６の一端が接続されている。ケーブル２６の他端が右ヒンジ接合部１５Ｒを経由して右側上部サポートアーム２１Ｒに接続されている。
【００６９】
また、引っ張りスプリング２４が右側下部サポートアーム２２Ｒの中空部に内蔵されている。スプリング２４の下端部が右側下部サポートアーム２２Ｒに接続され、スプリング２４の上端部にテンションケーブル２６の一端が接続されている。ケーブル２６の他端が左ヒンジ接合部１５Ｌを経由して左側上部サポートアーム２１Ｌに接続されている。
【００７０】
（３）左側下部サポートアーム２２Ｌと右側下部サポートアーム２２Ｒは、それぞれ、スクリーン２の幅寸法とほぼ同じ長さ寸法である。左側上部サポートアーム２１Ｌと右側上部サポートアーム２１Ｒは、それぞれ、スクリーン２の幅寸法の１／２とほぼ同じ長さ寸法である。
【００７１】
（４）左側下部サポートアーム２２Ｌおよび右側下部サポートアーム２２Ｒと、右側上部サポートアーム２１Ｒおよび左側上部サポートアーム２１Ｌは、スクリーン２の左右方向の中央部における垂直線Ｃを中にして左右ほぼ対称の配置関係にある。
【００７２】
左側上部サポートアーム２１Ｌと右側上部サポートアーム２１Ｒは機構１４の立ち上がり状態時には垂直線Ｃの線上において交差する関係にある。
【００７３】
機構１４の立ち上がり状態時も折畳み状態時も、右ヒンジ接合部１５Ｒと右側上部サポートアーム２１Ｒは垂直線Ｃよりも常に右側に存在し、左ヒンジ接合部１５Ｌと左側上部サポートアーム２１Ｌは垂直線Ｃよりも常に左側に存在する。
【００７４】
（５）左側下部サポートアーム２２Ｌと右側下部サポートアーム２２Ｒとを交差する部分において離間しないように、かつ、互いに自由に回転できるように繋ぐスライドコネクタ２７を有する。このスライドコネクタ２７は、機構１４の立ち上がり動作および折畳み動作に伴って左側下部サポートアーム２２Ｌと右側下部サポートアーム２２Ｒとにそれぞれ長手に沿ってスライド移動するスライドコネクタを有する。
【００７５】
（６）スライドコネクタ２７は、左側下部サポートアーム２２Ｌと右側下部サポートアーム２２Ｒとにそれぞれ長手に沿ってスライド移動可能に嵌着された第１のスライダ２８と第２のスライダ２９とを有する。第１のスライダ２８と第２のスライダ２９の一方には溝２９０１があり、他方にはヘッド２８０１がある。ヘッド２８０１はシャフト部２８０２でスライダに接続しており、溝２９０１のある側のスライダの溝内に収納されており、溝２９０１のエッジ２９０２が突き出てヘッド２８０１を抱え込んでいる。これにより、第１のスライダ２８と第２のスライダ２９とがシャフト部２８０２を中心に相対回転可能に連結されている。
【００７６】
（７）左ヒンジ接合部１５Ｌおよび右ヒンジ接合部１５Ｒはそれぞれテンションケーブル２６を懸け回す引っ張りガイド溝１６０１を有する。引っ張りガイド溝１６０１が半円形溝ａとストレート溝ｂにより構成されたＵ型偏心溝であり、ストレート溝ｂの溝底面からヒンジ接合部中心１８までの距離が半円形溝ａの溝底面からヒンジ接合部中心８までの距離より短い。
【００７７】
（８）左ヒンジ接合部１５Ｌと右ヒンジ接合部１５Ｒはそれぞれ上側ヒンジユニット１６と下側ヒンジユニット１７の二つの部分により構成されている。上側ヒンジユニット１６と下側ヒンジユニット１７にそれぞれテンションケーブル２６を懸け回す引っ張りガイド溝１６０１・１７０１を有する。
【００７８】
（９）左ヒンジ接合部１５Ｌと右ヒンジ接合部１５Ｒの少なくとも一方の上側ヒンジユニット１６と下側ヒンジユニット１７とに機構１４の立ち上がり上限高さを規定する制限用凸部１６０２と制限用サポートユニット１７０２が設けてある。
【００７９】
（１０）上側ヒンジユニット１７と下側ヒンジユニット１７の接続面の間に摩擦板３１があり、上側ヒンジユニット１６と下側ヒンジユニット１７および摩擦板３１がネジ１８とナット１９で接続されている。
【００８０】
（１１）ハンドル部７の側に噛合い部８０２が備えてある。ケーシング３の側に噛合い部８０２に対応する被噛合い部１２０１・１３０１がある。噛合い部８０２と被噛合い部１２０１・１３０１との係合によりハンドル部７の側がケーシング３の側に係止される。
【００８１】
（１２）噛合い部８０２と被噛合い部１２０１・１３０１との係合をロック状態にする、および、ロック状態を解除することができるロック機構８０を有する。
【００８２】
（１３）ハンドル部７がハンドルカバー６の上にあり、ハンドルカバー６がロッド４０１の上に取り付けられており、ハンドルカバー６にロック機構８０が配設されている。
【００８３】
（１４）ロック機構８０は、ハンドルカバー６にスライド移動可能に設けられていて、噛合い部８０２を有するロック部材８を有する。また、ロック部材８を噛合い部８０２が被噛合い部１２０１・１３０１に対して係合する方向に移動付勢する付勢部材１１と、ロック部材８に設けられていて、ハンドルカバー６の外側に露出しているロック解除用操作部８０１と、を有する。
【００８４】
上述した本実施例のスクリーン装置１は、スクリーン２が引き上げられた（立てている）使用状態で、又はスクリーンが押し下げられた収納状態で、機構１４の立ち上がり動作・折畳み動作により、スクリーン２を安定的に支持させることができる。
【００８５】
機構１４を立ち上げ方向に付勢する付勢装置（応力装置）２４・２６がアーム２２Ｌ・２２Ｒに内蔵されているので、外観も美しくなる。
【００８６】
ケーブル２６は、ヒンジ接合部１５Ｌ・１５Ｒのガイド溝ａ・ｂの周りを回って、張力をサポートアーム２１Ｌ・２２Ｒにかける。ガイド溝ａ・ｂがノーマルなガイド溝形式ではない。ガイド溝ａ・ｂは、スクリーン２の開き状態においてシャフト直径を長くして、サポートアームに十分な力を提供する。しかも、スクリーン２の収納状態において、シャフト直径を短くして、必要ない力を除去する。従って、ノーマルなガイド溝のように、Ｌ型折畳み式サポートアームの内角が小さいほど、スプリングが長く引っ張られて、ほぼ０度に折畳む時、強い張力が発生し、アームの変形、増大などの問題を引き起こすことはない。
【００８７】
しかも、機構１４の上端ヒンジ部６ａ・６ａがロッド４０１を有するサポートユニット４の長手方向のほぼ中央部にあるハンドルユニット５のハンドルカバー６上に接続し、ロック部材８もハンドルカバー６に設けられる。これにより、スクリーン収納状態において、スクリーン２をロックして、機構１４からの上向きの弾力を相殺することができる。
【００８８】
機構１４の上端ヒンジ部６ａ・６ａがスクリーン２の幅方向におけるロッド４０１の左右両端部に設けられる場合と比べ、スクリーン２の張力が大きすぎるために、ロッド４０１がゆがめるなどの問題を解決することができる。
【００８９】
また、アーム２１（Ｌ・Ｒ）、２２（Ｌ・Ｒ）の断面積を増やす場合、又はそのほかの構造で変形を除去する場合と比べ、コストを節約して、装置の体積を低減するという長所を持っている。
【００９０】
左右両側にあるヒンジ接合部１５（Ｌ・Ｒ）の少なくとも一つに、スクリーン開き位置の制限点１６０２・１７０２を設定することにより、当該制限点がスクリーン２の開きに使用される時、左右両側のサポートアームが伸びる。そして、ヒンジ接合部１５（Ｌ・Ｒ）が指定の角度まで回転した後、上側ヒンジユニット１６の制限用凸部１６０２が下側ヒンジユニット１７の制限用サポートユニット１７０２にぶつかって、機構１４のそれ以上の立ち上がり動作を止める。これにより、スクリーンの最大開き高さを確定する。制限点１６０２・１７０２がヒンジ接合部１５（Ｌ・Ｒ）内に位置するので、外観も美しくなり、かつ、別途に制限ユニットを設計する必要がない。部品の数量を増加しなくて、目的を達成することができるので、製造と部品制御において長所を持っている。
【００９１】
左右両側の下部サポートアーム２２Ｌ・２２Ｒにスライドコネクタ２７（２７Ａ・２７Ｂ）を設けてあり、左右両側のサポートアームが繋がる。これにより、スクリーン２の使用状態でも、状態転換の動作過程においても、サポートアーム２２Ｌ・２２Ｒが前後方向で離れないので、スクリーン２のゆがみや変形と損害など問題の発生を低減し、装置１を長期に安定的に使用することができる。
【００９２】
そのほか、接続したスライドコネクタ２７（２７Ａ・２７Ｂ）を利用して、同一の揺れ角度で、左右のアームを揺り動かすことにより、確定した指定動作で、左右のサポートアームを操作することができる。かつ、統一的な動作状態で、左右のサポートアームを安定的に伸縮することができるので、それは簡略化した安定的な解決案である。
【００９３】
ロック機構８０のロック部材８はハンドルユニット５内に取付けられている。ハンドルユニット５はロッド４０１のサポートユニット４に取付けられている。ハンドルカバー６を押し下げれば、ロック部材８の噛合い部８０２とケーシング３側にある被噛合い部１２０１・１３０１が噛み合う。これにより、ハンドルユニット５がケーシング３側にロックされる。ハンドル部７を引き上げれば、装置１の運搬ができる。スクリーン２の左右幅方向において、ロック解除用ボタン８０１を操作すればロックが解除されて、ハンドル部７を引き上げることでスクリーン２が広げられる。本設計は、短い時間内にスクリーンの使用状態と収納状態の転換が実現できるので、便利、手軽性、快速などの長所を持っている。
【００９４】
ここで、特許文献１のスクリーン装置においては。、Ｌ型折畳み式サポートアームには、Ｌ型折畳み式サポートアームの折畳みと反発のために、圧力を加えるユニットを設ける。２つのＬ型折畳み式サポートアームは、スクリーンの左右方向におけるほぼ中心部を挟んで固定した状態で、それぞれスクリーンのもう一端に接続する上部コネクティングロッドのサポートユニットをケーシング（外殻）の裏にあるベースユニットのヒンジと連結する。スクリーンの左右方向にある左側のＬ型折畳み式サポートアームのヒンジ接合部を、上部コネクティングロッドのサポートユニットの左右方向にある中心部に対してその右側に設置する。同時に、スクリーンの左右方向にある右側のＬ型折畳み式サポートアームのヒンジ接合部を、上部コネクティングロッドのサポートユニットの左右方向にある中心部に対してその左側に設置する。このように、左側にあるＬ型折畳み式サポートアームの上部サポートアームの上端ヒンジが上部コネクティングロッドのサポートユニットの左側に接続する。右側にあるＬ型折畳み式サポートアームの上部サポートアームの上端ヒンジが上部コネクティングロッドのサポートユニットの右側に接続する。上部サポートアームと下部サポートアームの取り付け位置が、スクリーンが広げられた時の高さに必要なアームの長さを効果的に満足させられる。
【００９５】
しかし、スクリーンが十分に収納された時、上部コネクティングロッドのサポートユニットの中心部が外殻中心部においてロックされ、左右両側にあるＬ型折畳み式サポートアームが付勢装置により上向きの弾力を保持している。上部コネクティングロッドのサポートユニットの両端が力を受けているため、跳ね上がる。上部コネクティングロッドのサポートユニットの厚さを増やすことにより、強度を強化することができるが、コストと重量が増加する。
【００９６】
本発明においては、以上の問題について、以下の解決案を提案している。一対の折畳み式弾力サポートアーム２２Ｌ・２１Ｒ、２２Ｒ・２１Ｌを採用して、上向きの支持力を提供し、スプリング２４を付勢装置（応力装置）として採用する。スクリーン２がケーシング３内に十分に収納された時、ロッド４０１のサポートユニット４はケーシング３の開口部３０１に対応して位置する。また、ケーシング３の長手方向の中央部において、ロック機構８０を設ける。ロッド４０１のサポートユニット４の中央部はケーシング３の中央部にてロックされる。一対の折畳み式弾力サポートアーム２２Ｌ・２１Ｒ、２２Ｒ・２１Ｌの上端がロッド４０１の中央部にあるハンドルカバー６に接続されている。スプリング２４の引っ張り力により、折畳み式弾力サポートアーム２２Ｌ・２１Ｒ、２２Ｒ・２１Ｌはそのまま上向きの弾力を保持している。しかし、ハンドルカバー６がケーシング３にロックされたため、サポートアームの２２Ｌ・２１Ｒ、２２Ｒ・２１Ｌ弾力がハンドルカバー６に全部作用する。従って、ロッド４０１はロックされた状態で、弾力による影響を受けなくて、跳ね上がらない、製品の外観にも影響を与えない。
【００９７】
本発明のスクリーン装置１は、ケーシング３、Ｌ型折畳み式サポートアーム機構１４、スクリーン２、上部コネクティングロッド４０１、リール３０などの組立て部品により構成される。スクリーン２の一端がロッド４０１に接続され、もう一端がリール３０の弾力を利用してリール上に巻いて取り付けられる。リール３０はスクリーン２を巻くことに用いられ、一方向に回転付勢された状態で、ケーシング３内に取り付けられている。Ｌ型折畳み式サポートアーム機構１４はそれぞれ上部サポートアーム２１Ｌ・２１Ｒと下部サポートアーム２２Ｌ・２２Ｒによりヒンジ接合部１５Ｌ・１５Ｒを利用して接続する。ヒンジ接合部１５Ｌ・１５Ｒは機構１４の上下方向においてほぼ下端から２／３離れているところに位置している。ヒンジ接合部１５Ｌ・１５Ｒには、引っ張りガイド溝１６０１・１７０１が設けてある。スプリング２４の一端が下部サポートアーム２２Ｌ・２２Ｒに接続し、そのもう一端にケーブル２６が接続されている。ケーブル２６は、ヒンジ接合部１５Ｌ・１５Ｒの引っ張りガイド溝の周りを回し、上部サポートアーム２１Ｌ・２１Ｒに接続される。スプリング２４と引っ張りガイド溝１６０１の作用により、外部の付勢装置（応力装置）が必要なく、上部サポートアーム２１Ｌ・２１Ｒと下部サポートアーム２２Ｒ・２２Ｌは外向きの弾力を持つ。かつ、スクリーン２をケーシング３内に収める時、付勢装置と下部アーム２２Ｒ・２２Ｌとの角度が変化するため、上向きの支持力を失うことが発生しない。一対のＬ型折畳み式サポートアーム２２Ｌ・２１Ｒ、２２Ｒ・２１Ｌは、スクリーン２の左右方向におけるほぼ中心部（垂直線Ｃ）を挟んで、それぞれ左右両側に位置する。左側のＬ型折畳み式サポートアームの上部サポートアームヒンジが上部コネクティングロッドのサポートユニットの左右方向における中心部に接続し、下部サポートアームのヒンジがケーシングの裏の左側にあるベースユニットに接続する。上部サポートアームと下部サポートアームのヒンジ接合部が、上端サポートユニットの左右方向上の中心部に対して、その右側に設けられる。かつ、右側にあるＬ型折畳み式サポートアームの上部アーム・ヒンジが上部コネクティングロッドのサポートユニットの左右方向上の中心部に接続する。同時に、下部サポートアームヒンジがケーシングの裏の右側にあるベースユニットに接続する。上部サポートアームと下部サポートアームのヒンジ接合部が上端サポートユニットの左右方向上の中心部に対して、その左側に設けられる。
【００９８】
しかし、上述のＬ型折畳み式弾力サポートアームには、以下の問題が存在している。スクリーンが収められる過程中において、２つのサポートアームの内角が約１２０°から０°まで次第に減少する。同時に、スプリングがしだいに引っ張られて、発生する引っ張り力がますます強くなり、Ｌ型折畳み式サポートアームの開き弾力もますます強くなる。そうすると、スクリーンが十分に収められた時、上部コネクティングロッドの中心部が外殻の中央部にロックされる。しかも、当該アームの上端が上部コネクティングロッドのハンドルカバー或いはホルダーに接続し、上向きの弾力を持っている。
【００９９】
本発明は、ヒンジ接合部にある引っ張りガイド溝の形を設定することにより、上述の問題を解決する。引っ張りガイド溝の形は偏心溝を採用し、半円形溝とストレート溝により構成さる。半円形溝の両端が、その接線上にある直線ガイド溝に接続し、Ｕ型（不規則なＵ型でもいい）の形を形成する。ヒンジ接合部のシャフト中心が半円形の円心に位置しなく、その円心から離れている。ケーブルはガイド溝の周りを回し、ヒンジ接合部のシャフトを回転の中心点にする。また、ケーブルは引っ張りガイド溝の周りを回し、スプリングを引っ張って張力を伝送する。位置により、旋回半径が異なり、即ち、アームの長さが異なるので、スプリング張力の作用で、Ｌ型折畳み式弾力サポートアームより発生する外向きの弾力の強さも異なる。スクリーンが使用されている状態において、Ｌ型折畳み式サポートアームの２つのアームが開いてスクリーンをサポートし、ケーブルの応力点がヒンジ接合部上にシャフトから離れているところにある。即ち、旋回半径が大きくて、アームが長いので、スプリングにより発生する上向きのトルクが大きくなり、Ｌ型折畳み式サポートアームにある上向きの支持力がスクリーンを広げるのに必要な張力より強い。スクリーンがケーシング内に十分に収められた時、ヒンジ接合部の応力点がシャフトに近づいているところにある。即ち、旋回半径が小さくて、アームが短いので、スプリングより発生する上向きのトルクが小さくなり、Ｌ型折畳み式サポートアームにある上向きの支持力が最小に減少し、ハンドルカバーに作用する支持力も最小に減少する。
【０１００】
より詳しく説明すると、以下の通りである。スクリーンが十分に広げられた時、Ｌ型折畳み式サポートアームの２つのアームの内角が約１２０°であり、スプリングの張力が最も低い。ケーブルはヒンジ部の半円形溝部分に接続しているので、半円形溝の底面からヒンジ部のシャフト中心までの距離が長い、旋回半径が大きい。従って、スプリングの張力が最も低くても、Ｌ型折畳み式サポートアームが最適な外向きの弾力を持って、上部コネクティングロッドを支持することができる。一方、スクリーンが収められる時、Ｌ型折畳み式サポートアームの２つアームの内角がしだいに１２０°から０°に減少する。ケーブルがヒンジ部のストレート溝部分に接続しているので、直線ガイド溝の底面からヒンジ部のシャフト中心までの距離が短い、旋回半径が小さくなり、スプリングの張力が引っ張りガイド溝により正常より低くなる。Ｌ型折畳み式サポートアームの外向きの弾力も弱くなるため、スクリーンが広げられる時の必要なスプリング張力強さのみに対応して、Ｌ型折畳み式サポートアームを設計すればいい。別途にスクリーンが収められた時のスプリングによる張力強度を考慮する必要がない、かつ、コストと体積を低減することができる。
【０１０１】
本発明は、Ｌ型折畳み式サポートアームの２つアームの内角が設定角度の以下に保持するように制限する。そのため、Ｌ型折畳み式サポートアームにあるヒンジ接合部の上側ヒンジユニットに一対の制限用凸部を設け、Ｌ型折畳み式サポートアームにあるヒンジ接合部の下側ヒンジユニットに一対の制限用サポートユニットを設ける。それにより、ヒンジ接合部が一定の角度に回転し、かつ、上側ヒンジユニットにある開き位置制限用の凸部が下側ヒンジユニットの開き位置制限用サポートユニットにぶつかった時、ヒンジ接合部が回転を停止する。そのため、Ｌ型折畳み式サポートアームが指定の角度を保持して、スクリーンの最大開き位置を確定することができる。制限ユニットの位置設定により、ヒンジ部の回転角度が変化できる。
【０１０２】
本発明は、ヒンジ接合部の接続面の間において一対の摩擦板を設け、ネジとナットでヒンジ接合部と摩擦板を繋ぎ、また、摩擦力の大きさを調整する。そして、ナットの緩さを調整することにより、プリロードを設定する。ヒンジ接合部は上側ヒンジユニットと下側ヒンジユニットの二つ部分により構成される。上側ヒンジユニットと下側ヒンジユニットとの接続面の間には、摩擦板を設け、ネジとナットで上側ヒンジユニットと下側ヒンジユニットおよび摩擦板を繋ぐ。スクリーンの開き位置を変える時、スプリングの張力だけにより、スクリーンをある位置に固定させることに必要な力をつり合わせれば、スプリング張力のデザインが難しくなる。しかも、スプリング張力が大きいほど、Ｌ型折畳み式サポートアームは力受けによる変形が大きくなるので、上下部サポートアームの断面積を増やすことにより、強度を向上することができる。上述の問題を解決するため、ヒンジ部と摩擦板の間に摩擦力をかけることにより、スプリング張力のデザインにおける要求を簡略化して、スプリング張力を低減し、上下部サポートアームの変形を軽くする。
左右両側にあるＬ型折畳み式サポートアームの２つ下部アームの間に、自由に滑られるスライドコネクタを設置する。スライドコネクタは、内側スライドコネクタと外側スライドコネクタにより構成される。内側スライドコネクタには溝が備えてあり、溝のエッジが突き出ている。外側スライドコネクタの上にはヘッドが備えてある。ヘッドはシャフトで接続し、内側スライドコネクタの溝内に嵌り込む。内側スライドコネクタの溝エッジが外側スライドコネクタのヘッドをロックさせ、ヘッドが溝内において回転でき、かつサポートアームの長方向に沿って自由に滑られる。スクリーンが使用されている場合、又は、上下方向で姿が変化する場合、２つアームの間に、相対的な位置を保持する必要があり、離れなく、スクリーンを円滑で安定的にサポートすることができる。スライドコネクタの接続により、２つのアームの間の相対的な位置が保持でき、スクリーンが傾かなく、変形もしない。上部コネクティングロッドに対して、左右両側のＬ型折畳み式サポートアームに安定的に作用できる伸縮動作をかける。即ち、左右両側アームは、動作を統一して安定的に伸縮できるように、揺れ角を相対的に一致して、関連動作を実行する。上述スライドコネクタの取付け方式により、２つのアームの相対的な位置を効果的に保持することができる。また、上述のスライドコネクタ機能を実現するために、２つのＬ型折畳み式サポートアームにある下部アームのクロス部分の相対的面において、磁気デバイスを取付けてもいい。又は２つの下部サポートアームにおいて溝を設けて、両端にヘッドを備えるスライディングシャフト、両端のヘッドが下部サポートアームに嵌り込んだ溝などを採用することができる。
【０１０３】
スクリーンの一端に接続する上部コネクティングロッドの中央部には、ハンドル部が備えてある。スクリーンのもう一端に接続する上部コネクティングロッドの中央部には、ケーシングに対応するロック機構が備えてある。ハンドル部は、ロック解除の時、スクリーンを広げるための取っ手として利用され、ロックした後、携帯用の取っ手として利用される。ハンドル部は、ハンドルカバー上にあり、ハンドルカバーが上部コネクティングロッド上に取り付けられる。上部コネクティングロッドの中央部にあるケーシング対応のロック機構は、スクリーンの左右方向でスライド可能なロック部材を備えている。しかも、前述の上部コネクティングロッドと前述のケーシングにおいて相応の噛合い部と被噛合い部が設けられている。ロック部材には、リセットスプリングを利用して、上部コネクティングロッドにある噛合い部がケーシングにある相応ユニットに固定する。ロック機構は、ロック部材、ロック解除用操作部、ホルダー、ビスおよびリセットスプリングなどにより構成される。リセットスプリングは、ロック部材にある半円形溝内に収めされる。ロック部材のロック解除用操作部がハンドルカバー中央部にある四角形の貫通穴に嵌り込む。リセットスプリングのもう一端がハンドルカバーのスプリングストッパーに押し込まれ、ホルダー中央部を通過してロック部材の片側にあるスライド溝内に収められる。ホルダーの左右両側には、一対の貫通穴が備えてあり、かつネジ接続でロック部材をハンドルカバーに固定させる。
【符号の説明】
【０１０４】
１・・スクリーン装置、２・・スクリーン、３・・ケーシング、３０１・・開口部、３０・・リール、４０１・・上部コネクティングロッド、１４・・折畳み式サポートアーム機構、２３ａ・・前後方向の軸、２２Ｌ・・左側下部サポートアーム、２２Ｒ・・右側下部サポートアーム、２１Ｌ・・左側上部サポートアーム、２１Ｒ・・右側上部サポートアーム、６ａ・・前後方向の軸、１５Ｌ・・左ヒンジ接合部、１５Ｒ・・右ヒンジ接合部、２４・・引っ張りスプリング、２６・・テンションケーブル、７・・ハンドル部
【図３】
0005438492.tif 000002
【図１０ｂ】
0005438492.tif 000003
【図１５】
0005438492.tif 000004
【図１６】
0005438492.tif 000005
【図１７】
0005438492.tif 000006
【図１】
0005438492.tif 000007
【図２】
0005438492.tif 000008
【図４】
0005438492.tif 000009
【図５】
0005438492.tif 000010
【図６】
0005438492.tif 000011
【図７】
0005438492.tif 000012
【図８】
0005438492.tif 000013
【図９】
0005438492.tif 000014
【図１０ａ】
0005438492.tif 000015
【図１０ｃ】
0005438492.tif 000016
【図１１】
0005438492.tif 000017
【図１２】
0005438492.tif 000018
【図１３】
0005438492.tif 000019
【図１４】
0005438492.tif 000020